(57)【要約】【課題】建築工事は天候に左右され工期内の仕上げに影響がある、耐震性をより高めたい、加工材の在庫が出来ない、外部足場作業は安全性が低いので作業能率が悪い、能率を上げてローコストを実現させる。【解決手段】  軸組の規格簡易加工により部材を在庫し、作業場の組立架台でワンスパンずつ組立て、外壁までを仕上てクレーン車で建て込む事で、外壁の足場上の作業が無く安全性が高く又天候の影響が少ない、工期短縮と安全性がローコストにつながる、鋼材と木材の組合せることでより高耐震建築となる鉄鋼木造建築施工法。【選択図】図１
2011069176.tif 000002
【特許請求の範囲】
【請求項１】
材軸面に丸浅穴と貫通の穴を設けた土台、帯鋼の一端に高ナット溶接合他端にボールト穴を設ける、柱の両端に丸短ホゾを設け一端に高ナット（カプラー）収容穴を設け、材軸中心に平行の溝シャクリに前記帯鋼嵌め込みの柱、山形鋼（アングル）の一面に帯鋼厚みの切り取りと穴を設け、材軸面に丸浅穴と貫通平穴を設け、浅穴裏面に山形鋼の一辺収容の溝シャクリに前記山形鋼を嵌め込みの下胴差、前記土台穴に柱を差し込みアイボールトを差し込み締め付け、下胴差を差し込みピン止めして、柱二つ割りに帯鋼嵌め込みの筋違いを固定組立の一階鉄鋼木造軸組。
【請求項２】
材軸面に丸浅穴と貫通穴を設け、反対面の丸穴下掻き取り上胴差、帯鋼の一端ボールト穴を設け穴上にバー溶接合し、他端に高ナット溶接合の帯鋼、前記柱に帯鋼嵌め込みの二階柱、材軸面に柱位置に貫通穴を設けた桁、柱位置に穴を設けた帯鋼、柱を配置し前記上胴差を差し込む、桁に帯鋼を取付けアイボールトを差し込み締め付ける、筋違取付は一階に準じる、組立二階鉄鋼木造軸組。
【請求項３】
前記組み上げの軸組の柱、間柱にボンドを塗布し、構造用合板を接着し、１２ｃｍ間隔に釘打ち後所要開口部にサッシ枠を取付、防水紙を張り外壁サイディングを張り上げの、各スパン軸組を現場に搬入して、一階スパンは帯鋼穴に、ワイヤを架けクレーン車にて建て込む、二階床パネルを嵌め込み足場とし、二階スパンはアイボールトにワイヤを架けて、クレーン車にて建て込み、上下胴差をボールト締めして建て込む、屋根パネル取付固定の外壁足場不要を特徴とする請求項１．２記載の鉄鋼木造建築の施工方法。
【発明の詳細な説明】
【技術分野】
【０００１】  本発明は鉄鋼と木材の組合せによる鋼耐震性と工期短縮の木構造建築に関するものである。
【背景技術】
【０００２】  従来の木造建築は、一棟毎に建築技能者が図面にもとずき墨付けをし、加工する。（プレカット加工がある）加工が終了すれば現場搬入して建てる。雨天が続くと工期が延びる外部足場を架けて工事をする、接合部を金物補強をするが、耐震上十分な補強とは言えない、又足場上の作業は、危険性が高く作業能率が悪い。【０００３】  従来の一棟毎の墨付けと加工は、部材加工して在庫が出来ない、従来工法では作業場等で組立と外壁仕上げまでは、不可能で天候に左右され工期も短縮は出来ない。
【発明の開示】
【発明が解決しようとする課題】
【０００４】  解決する問題点は、木構造軸組加工と在庫が出来ないため工期短縮は無理である、耐震補強も十分でない、外部の足場上の作業は危険性が高く作業能率が悪い又長期雨天では作業が出来ず工期が長引く問題点がある。
【課題を解決をするための手段】
【０００５】  本発明は、このような従来の問題点を解決しようとするもので、木造建築を一層の高耐震性の向上と軸組簡易加工で部材を弱めずに工期短縮と、安全性の確保される工法を提供するものである。
【０００６】  本発明は、帯鋼と等辺山形鋼を木構造に組み合わせることで、より耐震性を高めるため、鋼材と木の長所を活かし組み合わせることで接合部の緊結で安全と長期耐用年数の確保となる。軸組と外壁仕上げまでが作業場で完了する特徴が工期短縮とローコストに繋がるものである。
【発明の効果】
【０００７】  本発明によれば、簡易加工と部材の在庫が出来る、簡易のため建築技能士でなくても組立が出来る、接合部の緊結が耐震性を高める、作業場で外壁まで出来ることは天候に余り左右されない、工期の短縮と外部足場作業が無いので安全性と能率が良い、上記によりローコストとなる。
【実施例】
【０００８】  本発明の鉄鋼木構造建築は、図２詳細図の基礎Ｋ型枠の柱脚部にアンカーＨａの空洞部用発泡スチロールを設置、生コンクリート打設して硬化後撤去してナット回転スペースＫａを確保する。【０００９】  木造軸組の土台の所要柱位置に丸浅穴ｍａを設け、中心部とその両端に柱径の幅でそれぞれ貫通の穴を設けた土台Ｄ、帯鋼（フラットバー）の一端に高ナットＴｎ（カプラー）を溶接合、他端にボールト穴ｂａを設けた帯鋼１Ｆ、柱の両端に丸短ホゾｍｈを設け、その一端に高ナット収容穴を設け、一側面から中心部に向け芯挽溝加工の柱の溝に前記帯鋼を嵌め込み固定の柱Ｈ１、山形鋼（アングル）一面に所要柱の中心位置に前記帯鋼１Ｆの厚みで帯鋼幅を切り取りその中心から柱幅左右に穴を設けた山形鋼Ｄａ、胴差の一面に所要丸浅穴ｍａを設け穴中心から柱幅左右に貫通穴を設け、他面に山形鋼嵌め込みのシャクリ溝Ａｓを設けた胴差に、前記山形鋼の穴のない部分を溝に嵌め込み固定の下胴差Ｄ１、帯鋼の所要長さの両端を帯鋼厚みの二倍長を曲げた両端と、中央に数十個のビス穴を設けた筋違帯鋼Ｓｂ、柱二つ割りの平面に帯鋼幅と厚みのシャクリ溝を設け前記帯鋼を嵌め込みの木筋違Ｍｓ、引張力と圧縮力を一方向で負担の筋違である。【００１０】  軸組の組立は規格組立台に土台Ｄを配置、柱Ｈ１の一端の高ナットホゾ部を土台丸浅穴ｍａに差し込みアイボールトＩｂに丸ワッシャーＭｗを入れ仮締めして固定し、他端に下胴差Ｄ１を差し込みアングル止めピンａｐで固定し、アイボールト本締めをする。間柱Ｍを固定し、木筋違Ｍｓを固定して前記帯鋼Ｓｂをシャクリ溝に嵌め込みビス止め固定すれば一階ワンスパンの軸組が組み上がる、作業場で所要各スパンを組み上げる。一階鉄鋼木造軸組。【００１１】  胴差一面に所要柱下丸浅穴ｍｈを設け、その両側に胴差締め付けボールトＤｂ穴を設け、裏面丸穴下を掻き取りＦａの上胴差Ｄ２、帯鋼の一端ボールト穴Ｆｂａ加工の上にバーＣｂを溶接合し他端に高ナットＴｎ溶接合の帯鋼２Ｆを前記両端丸短ホゾｍｈ溝加工の柱に嵌め込み固定の二階柱Ｈ２、帯鋼に所要柱位置中心にボールト穴加工の帯鋼ＦＢ、桁、梁に柱位置に丸浅穴とそれぞれボールト貫通穴を設けた桁、梁Ｋｈ。【００１２】組立規格台に柱を配置、上胴差Ｄ２を差し込み、前記桁をホゾに差し込み前記帯鋼ＦＢ穴にアイボールトＩｂを差し込み桁Ｋｈに通して締め付ける、間柱Ｍ、木筋違Ｍｓと帯鋼Ｓｂ固定は前記一階に準じる、二階スパンの軸組、所要各スパン軸組を組み上げる。【００１３】  前記組み上げの一階、二階の軸組の柱、間柱にボンドを塗布し、構造用合板Ｋｇを接着し１２ｃｍ間隔に釘打ち後、所要開口部にサッシ枠を取り付けて、防水紙張りをし、外壁サイディングＳを張り上げの各スパン軸組を現場に搬入する。【００１４】  組立は一階軸組スパンの帯鋼穴ｂａにワイヤを架けクレーン車にて吊り上げ組み立てる、各スパンの組立が終われば、一階床パネルを敷き込み固定する、二階床パネルを敷き込み固定して、二階建て込みの足場にする。二階組立は軸組スパンのアイボールト１ｂにワイヤを架け、クレーン車にて吊り上げ組み建てる、建て方が終わると、屋根パネルＹｐを敷き込み固定し断熱材を敷き固定して防水紙張りの上、コロニアルｃｏ葺きをする。基礎Ｋａにモルタル充填し、ジョイントコーキングＣで完了する、内部の造作を完了すると竣工となる、外壁用足場不要を特徴とする鉄鋼木造建築の施工方法。
【産業上の利用可能性】
【００１５】  上述の発明は、規格簡易加工で作業場で加工組立と外壁まで仕上げが出来ることは天候の影響が少ない、又外部での足場上の作業が無いのは安全性と作業能率がよい、鋼材と木材の組合せで耐震性が高く、工期の短縮はローコストにつながるので、利用可能性は大である。
【図面の簡単な説明】
【００１６】
【図１】軸組組立の斜視図である。
【図２】基礎、土台、柱、胴差、桁、床パネル、屋根パネルの断面詳細図である。
【図３】軸組立面図である。
【符号の説明】
【００１７】Ｋ…基礎
Ｋａ…柱アンカーナット締め付け穴
Ａｂ…アンカーボールト
Ｇｐ…基礎合成ゴムパッキン
Ｈａ…柱アンカーボールト
Ｉｂ…アイボールト
Ｍｗ…丸ワッシャー
Ｍｓ…木筋違
Ｓｂ…帯鋼（フラットバーブレース）筋違
１ｐ…一階床パネル
ｍｈ…柱両端丸ホゾ
ｍａ…土台、胴差、桁、梁、丸浅穴
Ｔｎ…高ナット（カプラー）
Ｈ１…一階柱、Ｈ２、Ｈ３（集成柱）各階共通
１Ｆ…一階柱帯鋼（フラットバー）
ｂａ…帯鋼接合ボールト穴（吊り上げワイヤ通し穴利用）
Ｓ…外壁サイでィング
Ｋｇ…構造用合板
Ｄ１…下胴差
Ｄａ…下胴差嵌め込み山形鋼（アングル）
Ｄｂ…上下胴差締め付けボールト
Ａｓ…山形鋼嵌め込みシャクリ溝
ａｐ…固定ピン
Ｃ…  コーキング
Ｆａ…帯鋼ナット締め穴
Ｆｂ…上下帯鋼固定ボールト
Ｆｂａ…帯鋼固定穴
Ｃｂ…帯鋼固定バー
Ｄ２…上胴差
２ｐ…二階床パネル
２Ｆ…二階柱帯鋼
Ｈ２…二階柱
ＦＢ…桁、梁上帯鋼
Ｙｐ…屋根パネル
Ａｂ…アンカーボールト
【図１】
2011069176.tif 000003
【図２】
2011069176.tif 000004
【図３】
2011069176.tif 000005